(57)【要約】【課題】持ち易さと注ぎ易さとを兼ね備えながら、高さ方向の減縮を可能にする液体収納容器を提供する。【解決手段】４つの側面１〜４で囲まれ、そのうちの１つの側面１の上方に注ぎ口１３が設けられている液体収納容器１００であって、側面１〜４を横断する３本の平行な折り目Ｌ１〜Ｌ３が設けられてあり、さらに、側面１〜４のうち１つの側面１及び当該側面１と対向する側面３において、３本の平行な折り目Ｌ１〜Ｌ３の間に２つの直角二等辺三角形の折り目Ｖ１〜Ｖ４が、各側面１，３の両縁部と当該直角二等辺三角形の斜辺とが夫々共有するように両側に設けられてあり、全ての折り目に従って側面１〜４を折り畳んだ場合、各側面１〜４の一部分がくびれ部５０を形成するように内方に向かって凹み、くびれ部５０を介して各側面１〜４の上下部分が同一平面を構成する。【選択図】図１
2015110440.tif 000002
【特許請求の範囲】
【請求項１】
４つの側面で囲まれ、そのうちの１つの側面の上方に注ぎ口が設けられている液体収納容器であって、
前記４つの側面を横断する３本の平行な折り目が設けられてあり、
さらに、前記４つの側面のうち１つの側面及び当該側面と対向する側面において、前記３本の平行な折り目の間に２つの直角二等辺三角形の折り目が、各側面の両縁部と当該直角二等辺三角形の斜辺とが夫々共有するように両側に設けられてあり、
全ての折り目に従って４つの側面を折り畳んだ場合、各側面の一部分がくびれ部を形成するように内方に向かって凹み、前記くびれ部を介して各側面の上下部分が同一平面を構成する液体収納容器。
【請求項２】
前記直角二等辺三角形の折り目は、前記注ぎ口が設けられている側の側面及び当該側面と対向する側面に設けられている請求項１に記載の液体収納容器。
【請求項３】
前記直角二等辺三角形の折り目は、前記直角二等辺三角形の斜辺を底辺としたときの高さをａとし、前記直角二等辺三角形の折り目が設けられた側面の幅をｂとすると、１ｂ／１５≦ａ≦１ｂ／２の範囲となるように設けられている請求項１又は２に記載の液体収納容器。
【請求項４】
前記３本の平行な折り目は、前記４つの側面の高さをｘとし、前記４つの側面の上端部から前記３本の平行な折り目のうち中央に位置する折り目までの長さをｙとすると、１ｘ／８≦ｙ≦７ｘ／８の範囲となるように設けられている請求項１〜３の何れか一項に記載の液体収納容器。
【請求項５】
前記くびれ部が複数設けられている請求項１〜４の何れか一項に記載の液体収納容器。
【請求項６】
前記複数のくびれ部のうち少なくとも１つのくびれ部は、直角二等辺三角形の折り目が設けられる一組の対向する側面が、残りのくびれ部の直角二等辺三角形の折り目が設けられる一組の対向する側面と異なるように設けられている請求項５に記載の液体収納容器。
【請求項７】
前記複数のくびれ部は、前記４つの側面の高さ方向において互いに隣接するように設けられている請求項５又は６に記載の液体収納容器。
【請求項８】
前記折り目は、複数の折曲線から構成されている請求項１〜７の何れか一項に記載の液体収納容器。
【請求項９】
前記４つの側面は、連なって構成されてあり、前記４つの側面のうち何れか１つの側面における一方の側縁部にのりしろ部が設けられてあり、当該側面と隣接する側面のうち前記のりしろ部が設けられている側の側縁部に接する側面に前記のりしろ部の外側に重ね合わせられるのりしろ貼付部が設けられてあり、前記のりしろ貼付部に設けられた折り目に切欠き又は切込みが設けられてある請求項１〜８の何れか一項に記載の液体収納容器。
【請求項１０】
前記折り目は、前記側面の外側に形成される外側折り目と、前記側面の内側に形成される内側折り目とから構成され、前記外側折り目に切欠き又は切込みが設けられてある請求項１〜９の何れか一項に記載の液体収納容器。
【請求項１１】
前記側面に、前記折り目を被覆する伸展性シートが設けられている請求項１〜１０の何れか一項に記載の液体収納容器。
【発明の詳細な説明】
【技術分野】
【０００１】
本発明は、４つの側面で囲まれ、そのうちの１つの側面の上方に注ぎ口が設けられている液体収納容器に関する。
【背景技術】
【０００２】
液体商品を収納する容器として、瓶、缶、ペットボトル、紙容器等がある。近年では、リサイクル意識の高まりや、消費者の低価格志向等から、紙容器が様々な分野で利用されている。紙容器は、内容物である液体が無くなった後は、立体的形状から平面的形状へと変形させる（すなわち、折り畳む）ことができるため、回収や廃棄を容易に行うことができる使い勝手の良い収納容器である。紙容器は、例えば、テトラパック（登録商標）や、ミルクカートン等の名称で知られている。
【０００３】
紙容器は、それ自体は軽量に作られているが、容器一杯に液体が充填されていると、片手で持つには重く、例えば、子供や女性では持ち難いことがある。また、液体を注ぐ際に紙容器を持つ手のバランスを崩し、中身の液体をこぼしてしまうことがある。このような問題は、紙容器のサイズが大きくなり、容器内に充填される液体の重量が大きい場合に特に顕著となる。また、大型の紙容器の場合、高さ方向に嵩張るため、冷蔵庫等への収納が困難になる場合もある。
【０００４】
紙容器の把持性を向上させたものとして、従来、指を掛ける部位を設けた液体用紙容器があった（例えば、特許文献１を参照）。特許文献１の液体用紙容器は、二つの側壁が作る稜線上に凹部を設け、この凹部に指を掛けることで、飲むときの持ち易さを向上させたものである。
【０００５】
また、容器内の液体の減少に伴い、高さ方向に減縮可能に構成した紙容器があった（例えば、特許文献２を参照）。特許文献２の紙容器は、内容物の量が減少した際、紙容器の側面に設けた折り目案内線を山折り及び／又は谷折りにすると、一つの側面の一部が紙容器の内方に凹むと同時に、当該側面とは異なる側面の一部が紙容器の外方に突出するように構成されている。紙容器の外方に突出した部分は、上方又は下方に折り曲げて紙容器の側面に密着させる。このようにして、紙容器は高さ方向に減縮され、限られた収納スペースへの収納を可能にしている。
【先行技術文献】
【特許文献】
【０００６】
【特許文献１】実公平３−２０２５７号公報
【特許文献２】特開２０１２−１４０１６４号公報
【発明の概要】
【発明が解決しようとする課題】
【０００７】
ところが、特許文献１の液体用紙容器は、隣接する側壁が交わって形成される４箇所のコーナーの一部分に凹部が設けられているものに過ぎないため、液体用紙容器のサイズが大きくなり、側壁の幅方向が広がった場合、凹部に指を合わせることが困難となる。また、凹部の深さを調節することもできないため、手が小さな女性や子供にとっては液体用紙容器を把持し難い場合がある。さらに、凹部を折り畳んで液体用紙容器を高さ方向に減縮することはできないため、収納効率が劣るという問題がある。
【０００８】
一方、特許文献２の紙容器は、高さ方向において減縮することができるものの、側面に設けられた折り目案内線を山折り及び／又は谷折りにすると、一つの側面の一部が紙容器の内方に凹むのと同時に、当該側面とは異なる側面の一部が紙容器の外方に突出するため、使用者が容器を持つ際は、当該突出部分をさらに折り畳むか、リング状の物体で上から覆うことで当該突出部分を抑えることが必要となる。このように、特許文献２の紙容器では、高さ方向に減縮した後も、依然として持ち易さに関しての課題が残る。
【０００９】
本発明は、上記問題点に鑑みてなされたものであり、持ち易さと注ぎ易さとを兼ね備えながら、高さ方向の減縮を可能にする液体収納容器を提供することを目的とする。
【課題を解決するための手段】
【００１０】
上記課題を解決するための本発明に係る液体収納容器の特徴構成は、
４つの側面で囲まれ、そのうちの１つの側面の上方に注ぎ口が設けられている液体収納容器であって、
前記４つの側面を横断する３本の平行な折り目が設けられてあり、
さらに、前記４つの側面のうち１つの側面及び当該側面と対向する側面において、前記３本の平行な折り目の間に２つの直角二等辺三角形の折り目が、各側面の両縁部と当該直角二等辺三角形の斜辺とが夫々共有するように両側に設けられてあり、
全ての折り目に従って４つの側面を折り畳んだ場合、各側面の一部分がくびれ部を形成するように内方に向かって凹み、前記くびれ部を介して各側面の上下部分が同一平面を構成することにある。
【００１１】
本構成の液体収納容器によれば、４つの側面を横断する３本の平行な折り目が設けられてあり、さらに、前記４つの側面のうち１つの側面及び当該側面と対向する側面において、前記３本の平行な折り目の間に２つの直角二等辺三角形の折り目が、各側面の両縁部と当該直角二等辺三角形の斜辺とが夫々共有するように両側に設けられてある。これら全ての折り目を所定の折り方に従って折り畳むと、２つの直角二等辺三角形の折り目が設けられた側面は、３本の平行な折り目が内方に向かって凹むときに、夫々の直角二等辺三角形の斜辺が二等分される形態で折り畳まれながら３本の平行な折り目の間にピッタリと収まる。直角二等辺三角形の折り目が設けられていない側面は、３本の平行な折り目が内方に向かって凹みながら折り畳まれる。これにより、４つの側面にはくびれ部が形成される。ここで、直角二等辺三角形の折り目が設けられていない側面及び当該側面に対向する側面に形成されるくびれ部を特に「持ち手用くびれ部」とする。この持ち手用くびれ部に指を合わせれば、液体収納容器の持ち手部として利用することができる。このため、サイズの大きい液体収納容器であっても、持ち易くなり安定して中身の液体を注ぐことができる。また、４つの側面に形成されるくびれ部は、使用者の手の大きさや指の長さ、あるいは持ち方等によって凹み具合を調整し、使用者の手にフィットさせることが可能であるため、異なる使用者が液体収納容器を持つ場合であっても、各人に応じた最適な状態に構成することができる。このように、本構成の液体収納容器に設けられている折り目は、３本の平行な折り目と２つの直角二等辺三角形の折り目とからなる簡単な構成でありながら、使用者や使用状況に応じて最適なくびれ部を形成することができるため、利便性に優れた液体収納容器を提供することができる。
また、本構成の液体収納容器によれば、全ての折り目に従って４つの側面を完全に折り畳んだ場合、各側面の一部分がくびれ部を形成するように内方に向かって凹み、前記くびれ部を介して各側面の上下部分が同一平面を構成する。つまり、４つの側面を横断する３本の平行な折り目において、液体収納容器の高さ方向で一番上に位置する折り目と一番下に位置する折り目とが重なり合うように折り畳まれ、くびれ部が形成された部分だけ液体収納容器の高さが低くなる。従って、液体収納容器内の液体の減少に伴って、液体収納容器の高さを減縮することができる。この際、特許文献２に開示されているようなリング状の物体で液体収納容器の側面を覆う必要はなく、折り目に従って折り畳むだけで容易に液体収納容器の高さの減縮が可能となる。このように、本構成の液体収納容器は、高さ方向において収納スペースの確保が容易になり、また、液体収納容器の高さが減縮していることを一目で認識することができるため、液体収納容器内の液体が減少していることの目印とすることもできる。
また、液体収納容器は、使用終了後に廃棄やリサイクル等を行う際、立体的形状のままでは嵩張るため、液体収納容器をカッターナイフ等で切り開いた展開状態で回収することが一般的であるが、従来、サイズの大きい液体収納容器は切り開き難いという問題があった。しかし、本構成の液体収納容器であれば、４つの側面に設けた折り目を切り開き用のガイドとして利用することができる。つまり、折り目に沿ってカッターナイフ等で切れ込みを入れることにより、容易に液体収納容器を展開することが可能となる。このため、液体収納容器のサイズが大きい場合であっても、容易に立体的形状から展開することができ、液体収納容器の廃棄や回収をスムーズに行うことができる。
さらに、くびれ部が形成されている液体収納容器は、独特の形状をしているため意匠性に優れたものと言える。そのため、液体製品の容器として本構成の液体収納容器を採用した場合、消費者は液体収納容器の形状によって目的の製品を視認することが可能となり、他の製品との差別化を図ることができる。このように、本構成の液体収納容器は、商品の識別力向上にも寄与し得るものとなる。
【００１２】
本発明に係る液体収納容器において、
前記直角二等辺三角形の折り目は、前記注ぎ口が設けられている側の側面及び当該側面と対向する側面に設けられていることが好ましい。
【００１３】
本構成の液体収納容器によれば、直角二等辺三角形の折り目は、注ぎ口が設けられている側の側面及び当該側面と対向する側面に設けられているため、注ぎ口が設けられている側の側面に隣接する２つの側面に形成されたくびれ部、つまり持ち手用くびれ部に指を合わせて容易に持つことができる。これにより、液体収納容器を持つ手のバランスが良好となり、中身の液体をこぼさずに注ぐことができる。
【００１４】
本発明に係る液体収納容器において、
前記直角二等辺三角形の折り目は、前記直角二等辺三角形の斜辺を底辺としたときの高さをａとし、前記直角二等辺三角形の折り目が設けられた側面の幅をｂとすると、１ｂ／１５≦ａ≦１ｂ／２の範囲となるように設けられていることが好ましい。
【００１５】
本構成の液体収納容器によれば、直角二等辺三角形の折り目のサイズを上記の最適な範囲に設定することで、使用者の手の大きさや指の長さに応じてくびれ部の凹み具合を調整し、より持ち易くすることができる。
【００１６】
本発明に係る液体収納容器において、
前記３本の平行な折り目は、前記４つの側面の高さをｘとし、前記４つの側面の上端部から前記３本の平行な折り目のうち中央に位置する折り目までの長さをｙとすると、１ｘ／８≦ｙ≦７ｘ／８の範囲となるように設けられていることが好ましい。
【００１７】
本構成の液体収納容器によれば、３本の平行な折り目の位置を上記の最適な範囲に設定することで、使用者が持ち易い位置にくびれ部を形成することができ、液体をより注ぎ易くすることができる。
【００１８】
本発明に係る液体収納容器において、
前記くびれ部が複数設けられていることが好ましい。
【００１９】
本構成の液体収納容器によれば、くびれ部が複数設けられているため、使用者は自分の好みの位置で液体収納容器を持つことや、くびれ部ごとに凹み具合を調整することができる。また、液体収納容器の使用者が複数人いる場合、各人に応じて持ち易い位置のくびれ部を選択することができる。さらに、複数のくびれ部の折り目を完全に折り畳んだ場合、液体収納容器の高さをより一層減縮することができるため、液体収納容器の高さ方向の収納スペースの確保が容易となる。
【００２０】
本発明に係る液体収納容器において、
前記複数のくびれ部のうち少なくとも１つのくびれ部は、直角二等辺三角形の折り目が設けられる一組の対向する側面が、残りのくびれ部の直角二等辺三角形の折り目が設けられる一組の対向する側面と異なるように設けられていることが好ましい。
【００２１】
本構成の液体収納容器によれば、上記のように折り目を設けることにより、持ち手用くびれ部が、注ぎ口が設けられている側の側面及び当該側面に対向する側面にも設けられることになる。このため、注ぎ口が設けられている側の側面及び当該側面に対向する側面を持つ方が注ぎ易いという使用者のニーズにも応えることができ、より多くの人にとって使い易い液体収納容器を提供することができる。
【００２２】
本発明に係る液体収納容器において、
前記複数のくびれ部は、前記４つの側面の高さ方向において互いに隣接するように設けられていることが好ましい。
【００２３】
本構成の液体収納容器によれば、複数のくびれ部が互いに隣接するように設けられているため、液体収納容器を片手で持つ場合であっても、手の指を全てくびれ部に合わせることができる。これにより、くびれ部を持ち易くなり、より安定して液体を注ぐことができる。
【００２４】
本発明に係る液体収納容器において、
前記折り目は、複数の折曲線から構成されていることが好ましい。
【００２５】
液体収納容器を上記のように所定の折り方に従って折り畳むと、折り目は山折り又は谷折りとなり、当該折り目を頂点とする角が形成される。この角が鋭角であればあるほど頂点が突出するため、当該部分において液体収納容器の側面が破れる虞がある。また、液体収納容器を構成する素材が、頂点となる折り目の方へ寄るため、折り目付近では素材の厚みが増し、当該厚みによって側面を折り畳み難くなる虞も生じる。このような状態のまま無理に側面を折り畳むと、所望のくびれ部が形成されず、容器としての見栄えも劣る場合がある。
そこで、上記のような問題点を回避するため、液体収納容器に設けられる折り目を複数の折曲線として構成することとする。「複数の折曲線」とは、液体収納容器に設けられる３本の平行な折り目及び直角二等辺三角形の折り目の夫々が１本の線ではなく、２本以上の線から構成されていることを意味する。このような複数の折曲線であれば、折り目を山折りや谷折りにする際、角度を分散しながら幾つかの面を形成するように側面を折り畳むことができる。そして、折り目によって形成される角は上記のように頂点が突出することはないため、液体収納容器の側面を破れ難くすることができる。また、角度が分散するため、側面を構成する素材が寄る方向も分散させることができる。そのため、折り目付近にのみ集中して素材の厚みが増すことがなくなり、素材の厚さを略均一な状態に維持することが可能となる。その結果、無理な力を掛けずに側面を折り畳むことができ、また、所望のくびれ部を形成することができるため、容器の意匠性を損なう虞もなくなる。
【００２６】
本発明に係る液体収納容器において、
前記４つの側面は、連なって構成されてあり、前記４つの側面のうち何れか１つの側面における一方の側縁部にのりしろ部が設けられてあり、当該側面と隣接する側面のうち前記のりしろ部が設けられている側の側縁部に接する側面に前記のりしろ部の外側に重ね合わせられるのりしろ貼付部が設けられてあり、前記のりしろ貼付部に設けられた折り目に切欠き又は切込みが設けられてあることが好ましい。
【００２７】
本構成の液体収納容器は、上記のように４つの側面のうち何れか１つの側面にのりしろ部が設けられてあり、当該側面と隣接する側面に、のりしろ部の外側に重ね合わせられるのりしろ貼付部が設けられてある。そして、のりしろ部とのりしろ貼付部には、上記の折り目が設けられている。のりしろ部とのりしろ貼付部とは重なり合うため、当該重ね合わされた部分は液体収納容器を構成する側面の中で他の部位よりも厚くなり、また、のりしろ部に設けられる折り目は、のりしろ貼付部に位置する折り目と重なり合うため、これらの折り目は一体となって構成される。そのため、折り目に従って液体収納容器の側面を折り畳むと、当該部分は他の側面よりも厚みのある部分であるため、折り畳み難くなる。このような場合、のりしろ部（のりしろ貼付部）に設けられている折り目は、所望どおりに折り畳まれ難いため、くびれ部の外観が劣って見える虞も生じる。特に、のりしろ貼付部（のりしろ部）に設けられる折り目が、直角二等辺三角形を構成する折り目である場合、上記のように最終的には折り目によって形成されるくびれ部を介して各側面お上下が同一平面を構成するように折り畳まれるため、厚みがある分より一層折り畳み難くなる。上記のような問題は、折り目を谷折りとする場合、のりしろ貼付部に設けられる折り目付近に液体収納容器の素材が寄り、液体収納容器において当該部分の厚みが増すため、さらに折り畳み難くなる。
そこで、本構成の液体収納容器では、のりしろ貼付部に設けられた折り目に切欠き又は切込みが設けられている。このような構成であれば、折り畳んだ際にのりしろ貼付部に設けられた折り目のうち、山折りとなる折り目は、当該折り目を境目として折り目自体が分離する。つまり、実質的に折り曲げられる折り目はのりしろ部に設けられている折り目となるので、のりしろ部とのりしろ貼付とは重ね合わされて構成されてはいるが、のりしろ部だけが折り畳まれることとなる。一方、谷折りとなる折り目は、切欠き又は切込みが設けられている部分と隣接する側面どうしが、当該部分を介して接するように構成される。これによって、のりしろ貼付部に位置する折り目付近に液体収納容器の素材が寄ることがないため、谷折りし易くなる。これにより、のりしろ貼付部の折り目付近に液体収納容器の素材が寄ることを防止し、折り畳み易くなる。そして、液体収納容器のくびれ部の意匠性も維持することができる。
【００２８】
本発明に係る液体収納容器において、
前記折り目は、前記側面の外側に形成される外側折り目と、前記側面の内側に形成される内側折り目とから構成され、前記外側折り目に切欠き又は切込みが設けられてあることが好ましい。
【００２９】
通常、液体収納容器は、容器自体の強度を向上させたり、収納した液体が滲み出ることを防止するため、少なくとも２枚の素材を接着させた構成としている。本発明に係る液体収納容器は、側面の外側（つまり、外表面であって使用者の手が直接触れる側）、及び側面の内側（つまり、液体収納容器の内部であって液体が直接接する側）から構成されている。従って、本発明に係る液体収納容器に設けられる折り目は、側面の外側に設けられる折り目と、側面の内側に設けられる折り目とが一体となって構成されていることとなる。ここで、側面の外側及び内側に設けられる折り目を、夫々「外側折り目」及び「内側折り目」と称する。外側折り目と内側折り目とは一体の折り目であるから、液体収納容器の側面を所定の折り方に従って適切に折り畳むと、側面の外側と側面の内側とが同時に折り畳まれることになる。
ここで、液体収納容器に液体を収納するためには、耐水性及び耐久性を備えた素材を使用する必要がある。しかし、そのような素材は、一般に厚みがあり、剛性が高いものとなるため、側面を折り畳む際に力が必要となったり、折り畳み難くなるという問題がある。上記のような問題は、折り目を谷折りとする場合、当該谷折りとなる折り目付近に液体収納容器の素材が寄り、液体収納容器の側面において当該部分の厚みが増すため、さらに折り畳み難くなる。
そこで、本構成の液体収納容器では、外側折り目に切欠き又は切込みが設けられてあるように構成されている。このような構成であれば、折り畳んだ際に山折りとなる外側折り目は、当該外側折り目を境目として折り目自体が分離する。つまり、実質的に折り曲げられる折り目は内側折り目となるので、側面の内側だけが折り畳まれることとなる。一方、谷折りとなる外側折り目は、切欠き又は切込みが設けられている部分と隣接する側面が、当該部分を介して接するように構成される。これによって、外側の側面に設けられる折り目付近に液体収納容器の素材が寄ることがないため、谷折りし易くなる。これにより、外側折り目付近に液体収納容器の素材が寄ることを防止し、折り畳み易くなる。このため、耐水性及び耐久性を備えた素材から構成される液体収納容器であっても、側面の外側の分だけ素材の厚みが減るため折り畳み易くなり、且つ、液体収納容器の強度を確保することができる。
【００３０】
本発明に係る液体収納容器において、
前記側面に、前記折り目を被覆する伸展性シートが設けられていることが好ましい。
【００３１】
本構成の液体収納容器であれば、上記のような伸展性シートによって折り目が保護されているため、折り目に従って液体収納容器の側面を折り畳んだ場合、折り目によって形成される角の頂点によって液体収納容器の外装が破れることを確実に防止することができる。また、折り目部分はくびれ部となるため、使用者が持つ頻度が高い部位である。そのため、上記のような伸展性シートを折り目に設けることによって、液体収納容器の強度を向上させることもできる。
【図面の簡単な説明】
【００３２】
【図１】図１は、第一実施形態に係る液体収納容器の説明図であり、（ａ）液体収納容器の展開図、（ｂ）液体収納容器の斜視図、及び（ｃ）折り目に従って折り畳んだ状態の液体収納容器の斜視図である。
【図２】図２は、第二実施形態に係る液体収納容器の説明図であり、（ａ）液体収納容器の展開図、（ｂ）液体収納容器の斜視図、及び（ｃ）折り目に従って折り畳んだ状態の液体収納容器の斜視図である。
【図３】図３は、第三実施形態に係る液体収納容器の説明図であり、（ａ）液体収納容器の展開図、（ｂ）液体収納容器の斜視図、及び（ｃ）折り目に従って折り畳んだ状態の液体収納容器の斜視図である。
【図４】図４は、第四実施形態に係る液体収納容器の説明図であり、（ａ）液体収納容器の展開図、（ｂ）液体収納容器の斜視図、及び（ｃ）折り目に従って折り畳んだ状態の液体収納容器の斜視図である。
【図５】図５は、第一実施形態の変形例に係る液体収納容器の説明図であり、（ａ）折り目が１本の線である場合の説明図であり、（ｂ）折り目が２本の線である場合の説明図である。
【図６】図６は、第一実施形態の変形例に係る液体収納容器の説明図であり、折り目が２本の線から構成されている場合の一部拡大図である。
【図７】図７は、第一実施形態の変形例に係る液体収納容器ののりしろ部分に関する説明図であり、（ａ）液体収納容器の展開図、（ｂ）のりしろ部とのりしろ貼付部とが重なり合わされている場合において、折り目を折り畳む前の側面に関する説明図であり、（ｃ）のりしろ部とのりしろ貼付部とが重なり合わされている場合において、折り目を山折りにした場合の側面に関する説明図であり、（ｄ）のりしろ部とのりしろ貼付部とが重なり合わされている場合において、側面の折り目を谷折りにした場合の側面に関する説明図である。
【図８】図８は、第一実施形態の変形例に係る液体収納容器の説明図であり、（ａ）側面の一部の斜視図を拡大して示した図であり、（ｂ）折り畳む前の側面に関する説明図であり、（ｃ）折り目を山折りにした場合の側面に関する説明図であり、（ｄ）折り目を谷折りにした場合の側面に関する説明図である。
【図９】図９は、別実施形態に係る液体収納容器の展開図である。
【発明を実施するための形態】
【００３３】
以下、本発明の液体収納容器に関する実施形態を図１〜図９に基づいて説明する。なお、以下の実施形態では、市販の酒パックや牛乳パックに代表される液体収納容器を想定しており、このような液体収納容器として、例えば、底面の幅が７０〜１００ｍｍ、容量が５００〜３０００ｍＬのゲーブルトップ型のテトラパック（登録商標）が挙げられるが、このサイズ以外の液体収納容器に適用することも当然に可能である。従って、本発明は、以下に説明する実施形態や図面に記載される構成に限定されることを意図しない。
【００３４】
〔第一実施形態〕
図１は、第一実施形態に係る液体収納容器１００の説明図である。図１（ａ）は、液体収納容器１００の展開図である。図１（ｂ）は、液体収納容器１００の斜視図である。図１（ｃ）は、折り目に従って折り畳んだ状態の液体収納容器１００の斜視図である。
【００３５】
液体収納容器１００は、矩形状の４つの側面１〜４を備えている。側面１〜４の夫々の上方には上部５〜８が連なっており、下方には下部９〜１２が連なっている。注ぎ口１３は、側面１に連なっている上部５の略中央に設けられる。上部５〜８には、のりしろ部１４〜１７、下部９〜１２には、のりしろ部１８〜２１、側面２には、のりしろ部２２、側面３の内側（裏側）には、のりしろ貼付部２３（斜線部にて示されている部分）が設けられてあり、側面１〜４、上部５〜８、下部９〜１２が夫々連なっている。上部６及び８には、屋根形成用の折り目Ｇが設けられており、下部１０及び１２には、液体収納容器１００の底面を形成するための折り目Ｈが設けられている。図１（ａ）の展開図では、谷折りにする折り目（つまり、折り目Ｇ及び折り目Ｈ）を破線にて示してある。図１（ａ）の展開図に示す防水性の厚紙等からなるシートを、のりしろ部１４〜１７を適切に重ね合わせ、折り目Ｇを谷折りにすると、上部５〜８によってゲーブルトップ型の屋根が形成される。また、のりしろ部１８〜２１を適切に重ね合わせ、折り目Ｈを液体収納容器１００の内部側に折り畳むと、液体収納容器１００の底面が形成される。液体収納容器１００の上部５〜８、側面１〜４、及び下部９〜１２を適切に折り、側面２に連なっているのりしろ部２２と側面３の内側にあるのりしろ貼付部２３とを適切に重ね合わせ、さらに、後述する手順に従って組み立てると、図１（ｂ）に示すような液体収納容器１００を組み立てることができる。
【００３６】
＜側面に設けられる折り目＞
４つの側面１〜４には、図１（ａ）に示すように、３本の折り目Ｌ１、Ｌ２、及びＬ３が側面１〜４を横断するように設けられている。３本の折り目Ｌ１、Ｌ２、及びＬ３は、互いに平行に且つ間隔が等しくなるように形成される。また、注ぎ口１３を有する上部５が連なっている側面１には、直角二等辺三角形の折り目Ｖ１及びＶ２が設けられ、組み立てた状態で側面１と対向する位置にある側面３には、直角二等辺三角形の折り目Ｖ３及びＶ４が設けられる。直角二等辺三角形の折り目Ｖ１〜Ｖ４における斜辺は、折り目Ｌ１とＬ３とからなる平行線に直交する直線である。ここで、直角二等辺三角形の折り目Ｖ１の斜辺は側面４と側面１との接続箇所をなす縁部に位置し、直角二等辺三角形の折り目Ｖ２の斜辺は側面１と側面２との接続箇所をなす縁部に位置し、直角二等辺三角形の折り目Ｖ３の斜辺は側面２と側面３との接続箇所をなす縁部に位置し、直角二等辺三角形の折り目Ｖ４の斜辺は側面３と側面４との接続箇所をなす縁部に位置している。折り目Ｓ１、Ｓ２、Ｓ５、Ｓ６、Ｓ９、Ｓ１０、Ｓ１３、及びＳ１４は、直角二等辺三角形の折り目Ｖ１〜Ｖ４において斜辺に相当する。折り目Ｓ１及びＳ２は直角二等辺三角形の折り目Ｖ１の斜辺に相当し、折り目Ｓ５及びＳ６は直角二等辺三角形の折り目Ｖ２の斜辺に相当し、折り目Ｓ９及びＳ１０は直角二等辺三角形の折り目Ｖ３の斜辺に相当し、折り目Ｓ１３及びＳ１４は直角二等辺三角形の折り目Ｖ４の斜辺に相当する。これらの折り目のうち、折り目Ｓ１、Ｓ５、Ｓ９、及びＳ１３は、折り目Ｌ１から折り目Ｌ２の間に設けられてあり、折り目Ｓ２、Ｓ６、Ｓ１０、及びＳ１４は折り目Ｌ２から折り目Ｌ３の間に設けられてある。折り目Ｔ１、Ｔ２、Ｔ３、及びＴ４は、折り目Ｌ２上に位置する直線の折り目である。折り目Ｔ１は、直角二等辺三角形の折り目Ｖ１において、折り目Ｓ１とＳ２とからなる斜辺を底辺とした場合、高さに相当する。折り目Ｔ１の長さは、折り目Ｌ１とＬ２との間隔、及び折り目Ｌ２とＬ３との間隔と等しく、これを高さａとする。折り目Ｔ２、Ｔ３、及びＴ４は、折り目Ｔ１と同様に、直角二等辺三角形の折り目Ｖ２、Ｖ３、及びＶ４において、夫々の斜辺を底辺とした場合の直角二等辺三角形の高さに相当し、折り目Ｔ１の長さと等しい。折り目Ｓ３、Ｓ４、Ｓ７、Ｓ８、Ｓ１１、Ｓ１２、Ｓ１５、及びＳ１６は、直角二等辺三角形の折り目Ｖ１〜Ｖ４の斜辺以外の辺に相当する。折り目Ｓ３及びＳ４は直角二等辺三角形の折り目Ｖ１の一部を構成し、折り目Ｓ７及びＳ８は直角二等辺三角形の折り目Ｖ２の一部を構成し、折り目Ｓ１１及びＳ１２は直角二等辺三角形の折り目Ｖ３の一部を構成し、折り目Ｓ１５及びＳ１６は直角二等辺三角形の折り目Ｖ４の一部を構成する。これらの折り目のうち、折り目Ｓ３、Ｓ７、Ｓ１１、及びＳ１５は、折り目Ｌ１から折り目Ｌ２の間に設けられてあり、折り目Ｓ４、Ｓ８、Ｓ１２、及びＳ１６は、折り目Ｌ２からＬ３の間に設けられてある。
【００３７】
＜液体収納容器におけるくびれ部の形成＞
図１（ａ）に示す液体収納容器１００の展開図において、実線で示している折り目（すなわち、折り目Ｌ１、Ｌ３、Ｓ１、Ｓ２、Ｓ５、Ｓ６、Ｓ９、Ｓ１０、Ｓ１３、Ｓ１４、Ｔ１、Ｔ２、Ｔ３、及びＴ４）は、山折りとする折り目である。破線で示している折り目（すなわち、折り目Ｌ２（Ｔ１、Ｔ２、Ｔ３、及びＴ４と重複する直線部分は除く）、Ｓ３、Ｓ４、Ｓ７、Ｓ８、Ｓ１１、Ｓ１２、Ｓ１５、及びＳ１６）は、谷折りとする折り目である。液体収納容器１００を図１（ａ）の展開図に示す平面的形状から立体的形状へと組み立てるにあたり、上記の折り目を山折り又は谷折りにすると、図１（ｂ）に示すように、側面１〜４の折り目を設けた部分が凹み、くびれ部５０が形成されて独特の形状をした液体収納容器１００が完成する。折り目について詳細に説明すると、図１（ｂ）に示すように、側面１において、折り目Ｌ２（折り目Ｔ１、及びＴ２と重複する直線部分は除く）を、液体収納容器１００の内方に向かうように折り畳むと、直角二等辺三角形の折り目Ｖ１の斜辺を構成する折り目Ｓ１及びＳ２、並びに直角二等辺三角形の折り目Ｖ２の斜辺を構成する折り目Ｓ５及びＳ６は、側面１の幅方向に対して中央側に向かうように折り畳まれる。これに伴って、折り目Ｓ３、Ｓ４、Ｓ７、Ｓ８、Ｔ１、及びＴ２は、液体収納容器１００の内方に向かうように折り畳まれる。さらに、折り目Ｌ１及びＬ３は、互いに重なり合うように折り畳まれる。これらの結果、側面１の両縁部にある２つの直角二等辺三角形の折り目Ｖ１及びＶ２は、夫々の斜辺が二等分される形態で折り畳まれながら３本の平行な折り目の間にピッタリと収まる。側面３においても、側面１と同様に、側面３の両縁部にある２つの直角二等辺三角形の折り目Ｖ３及びＶ４は、夫々の斜辺が二等分される形態で折り畳まれながら３本の平行な折り目の間にピッタリと収まる。側面２及び４においては、図１（ａ）に示すように、直角二等辺三角形の折り目が存在しないため、図１（ｂ）に示すように、折り目Ｌ２のみが谷折りされ、液体収納容器１００の内方に向かうように折り畳まれてくびれ部５０が形成される（側面４は図示せず）。側面２及び４に形成されるくびれ部５０は、直角二等辺三角形の折り目が邪魔にならないため、液体収納容器１００の持ち手用くびれ部５１として利用することができる。また、液体を注ぐ際の手首の動作からすると、側面３を手のひらで覆うようにして、注ぎ口１３が設けられている側の側面１に隣接する側面２、４を持つという持ち方が、多くの使用者にとって持ち易いと考えられる。そのため、側面２及び４に形成されるくびれ部５０を持ち手用くびれ部５１とすると、使用者は安定した状態で液体収納容器１００を持ち、中身の液体を注ぐことができる。
【００３８】
ここで、図１（ａ）に示すように、側面１及び３の幅を幅ｂとすると、直角二等辺三角形の折り目の高さａと幅ｂとの関係は、１ｂ／１５≦ａ≦１ｂ／２の範囲、より好ましくは１ｂ／５≦ａ≦１ｂ／２の範囲に設定される。直角二等辺三角形の折り目のサイズを上記範囲に設定することで、側面１〜４に形成されるくびれ部５０の凹み具合を最適に調整することができる。その結果、使用者の手の大きさや指の長さに応じてくびれ部５０の凹み具合を調整し、より持ち易くすることができる。また、側面１〜４の高さを高さｘとし、側面１〜４の上端部から折り目Ｌ２までの長さを長さｙとすると、高さｘと長さｙとの関係は、１ｘ／８≦ｙ≦７ｘ／８の範囲、より好ましくは１ｘ／４≦ｙ≦３ｘ／４の範囲に設定される。３本の平行な折り目（特に、折り目Ｌ２）の位置を上記範囲に設定することで、側面１〜４に形成されるくびれ部５０の位置を最適に調整することができる。その結果、使用者が持ち易い位置にくびれ部５０を形成することができ、液体をより注ぎ易くすることができる。
【００３９】
また、図１（ｃ）に示すように、液体収納容器１００の折り目Ｌ１及びＬ３が互いに完全に重なり合うように折り畳むと、図１（ｂ）に示すようなくびれ部５０を形成する状態を経て、くびれ部５０を介して側面１〜４の上下部分が同一平面となるように構成される。そのため、液体収納容器１００の高さ方向において、側面１に設けられた直角二等辺三角形の折り目Ｖ１の斜辺に相当する折り目Ｓ１及びＳ２の長さの分だけ高さが減縮される。これによって、液体収納容器１００の高さ方向における収納スペースの確保が容易となり、液体収納容器１００内の液体が減少していることの目印とすることもできる。
【００４０】
ところで、使用者の中には、注ぎ口１３が設けられている側の側面１及び３を持つ方が注ぎ易いという使用者もいる。その場合、第一実施形態の折り目を９０°回転させて設けても構わない。つまり、注ぎ口１３が設けられていない側の側面２と側面２に対向する側面４とに、直角二等辺三角形の折り目Ｖ１〜Ｖ４が設けられるように折り目を配置する。このとき、持ち手用くびれ部５１は側面１と側面３とに形成される。その結果、上記のような使用者も快適に持つことができ、注ぎ易い液体収納容器１００を提供することができる。
【００４１】
〔第二実施形態〕
図２は、第二実施形態に係る液体収納容器２００の説明図である。図２（ａ）は、液体収納容器２００の展開図である。図２（ｂ）は、液体収納容器２００の斜視図である。図２（ｃ）は、折り目に従って折り畳んだ状態の液体収納容器２００の斜視図である。
【００４２】
液体収納容器２００は、第一実施形態と同様に、矩形状の４つの側面１〜４、上部５〜８、及び下部９〜１２から構成され、注ぎ口１３は、上部５の略中央に設けられる。上部５〜８には、のりしろ部１４〜１７、下部９〜１２には、のりしろ部１８〜２１、側面２には、のりしろ部２２、側面３の内側（裏側）には、のりしろ貼付部２３（斜線部にて示されている部分）が設けられてあり、側面１〜４、上部５〜８、下部９〜１２が夫々連なっている。上部６及び８には、屋根形成用の折り目Ｇが設けられており、下部１０及び１２には、液体収納容器２００の底面を形成するための折り目Ｈが設けられている。図２（ａ）の展開図では、谷折りにする折り目（つまり、折り目Ｇ及び折り目Ｈ）を破線にて示してある。図２（ａ）の展開図に示す防水性の厚紙等からなるシートを、のりしろ部１４〜１７を適切に重ね合わせ、折り目Ｇを谷折りにすると、上部５〜８によってゲーブルトップ型の屋根が形成される。また、のりしろ部１８〜２１を適切に重ね合わせ、折り目Ｈを液体収納容器２００の内部側に折り畳むと、液体収納容器２００の底面が形成される。液体収納容器２００の上部５〜８、側面１〜４、及び下部９〜１２を適切に折り、側面２に連なっているのりしろ部２２と側面３の内側にあるのりしろ貼付部２３とを適切に重ね合わせ、さらに、後述する手順に従って組み立てると、図２（ｂ）に示すような液体収納容器２００を組み立てることができる。
【００４３】
＜側面に設けられる折り目＞
図２（ａ）に示すように、第二実施形態に係る液体収納容器２００は、第一実施形態にて設けた折り目の下方に第一実施形態と同様の折り目を、同一の向きで追加して設けた液体収納容器である。ここで、液体収納容器２００の高さ方向において上方に配置した折り目を折り目群Ｗ１とし、下方に配置した折り目を折り目群Ｗ２とする。折り目群Ｗ１は、折り目Ｌ１〜Ｌ３、直角二等辺三角形の折り目Ｖ１〜Ｖ４を形成する折り目Ｓ１〜Ｓ１６、及び折り目Ｔ１〜Ｔ４から構成される折り目であり、これらの折り目については、第一実施形態にて説明したので省略する。
折り目群Ｗ２は、折り目群Ｗ１の折り目Ｌ３から所定の間隔を開けた位置に配置され、折り目群Ｗ１の折り目と実質的に同一の折り目である。従って、折り目群Ｗ２の各折り目は、折り目Ｌ４〜Ｌ６が折り目Ｌ１〜Ｌ３に相当し、直角二等辺三角形の折り目Ｖ５〜Ｖ８が直角二等辺三角形の折り目Ｖ１〜Ｖ４に相当し、折り目Ｓ１７〜Ｓ３２が折り目Ｓ１〜Ｓ１６に相当し、折り目Ｔ５〜Ｔ８が折り目Ｔ１〜Ｔ４に相当する。
【００４４】
＜液体収納容器におけるくびれ部の形成＞
図２（ａ）に示す液体収納容器２００の展開図において、実線及び破線で示している折り目群Ｗ１については、第一実施形態にて説明したので省略する。折り目群Ｗ２は、折り目群Ｗ１と同様の折り目を構成し、折り目群Ｗ２において実線で示している折り目（すなわち、折り目Ｌ４、Ｌ６、Ｓ１７、Ｓ１８、Ｓ２１、Ｓ２２、Ｓ２５、Ｓ２６、Ｓ２９、Ｓ３０、Ｔ５、Ｔ６、Ｔ７、及びＴ８）は、山折りとする折り目である。破線で示している折り目（すなわち、折り目Ｌ５（Ｔ５、Ｔ６、Ｔ７、及びＴ８と重複する直線部分は除く）、Ｓ１９、Ｓ２０、Ｓ２３、Ｓ２４、Ｓ２７、Ｓ２８、Ｓ３１、及びＳ３２）は、谷折りとする折り目である。液体収納容器２００を図２（ａ）の展開図に示す平面的形状から立体的形状へと組み立てるにあたり、上記の折り目を山折りあるいは谷折りにすると、図２（ｂ）に示すように、側面１〜４の折り目を設けた部分が凹み、折り目群Ｗ１によるくびれ部５０、及び折り目群Ｗ２によるくびれ部６０が形成され、２つのくびれ部５０及び６０を有する独特の形状をした液体収納容器２００が完成する。折り目群Ｗ１によるくびれ部５０の形成については、第一実施形態にて説明したので省略する。折り目群Ｗ２によるくびれ部６０は、折り目群Ｗ１の折り目に相当する折り目群Ｗ２の各折り目を、折り目群Ｗ１と同様に山折り又は谷折りにすることで形成される。このように折ることによって、図２（ｂ）に示すように、側面２及び側面４（側面４は図示せず）に形成されるくびれ部５０及び６０は、直角二等辺三角形の折り目が邪魔にならないため、液体収納容器２００の持ち手用くびれ部５１及び６１として利用することができる。このように、くびれ部を複数設けることによって、使用者は持ち易いくびれ部の位置を選択することができる。また、複数のくびれ部が形成されることにより、液体収納容器２００に充填されている液体と液体収納容器２００との接触面積が増加する。そのため、中身の液体の保温効果や冷却効果の向上にも寄与し得る。
【００４５】
また、図２（ｃ）に示すように、液体収納容器２００の折り目Ｌ１及びＬ３、並びに折り目Ｌ４及びＬ６が互いに完全に重なり合うように折り畳むと、図２（ｂ）に示すようなくびれ部５０及び６０を形成する状態を経て、くびれ部５０及び６０を介して側面１〜４の上下部分及び中間部分が同一平面となるように構成される。そのため、液体収納容器２００の高さ方向において、側面１に設けられた直角二等辺三角形の折り目Ｖ１の斜辺に相当する折り目Ｓ１及びＳ２、並びに、直角二等辺三角形の折り目Ｖ５の斜辺に相当する折り目Ｓ１７及びＳ１８の長さの分だけ高さが減縮される。これによって、液体収納容器２００の高さ方向における収納スペースの確保が容易となり、液体収納容器２００の液体が減少していることの目印とすることもできる。また、液体収納容器２００内の液体の減少に伴って上方の折り目群から段階的にくびれ部を形成させ、折り畳むことができる。
【００４６】
なお、第二実施形態では、くびれ部を液体収納容器２００の高さ方向において２箇所設けたものを示しているが、くびれ部は３箇所以上設けても構わない。このように構成すると、使用者が複数人いる場合、各人に応じて持ち易い位置のくびれ部を選択することができ、くびれ部ごとに凹み具合を調整することができる。また、複数のくびれ部の折り目を完全に折り畳むと、液体収納容器２００の高さをより一層減縮することができるため、液体収納容器２００の高さ方向の収納スペースの確保が容易となる。さらに、液体収納容器２００に充填されている液体と液体収納容器２００との接触面積が一層増加するため、中身の液体の保温や冷却効果のさらなる向上も期待できる。
【００４７】
〔第三実施形態〕
図３は、第三実施形態に係る液体収納容器３００の説明図である。図３（ａ）は、液体収納容器３００の展開図である。図３（ｂ）は、液体収納容器３００の斜視図である。図３（ｃ）は、折り目に従って折り畳んだ状態の液体収納容器３００の斜視図である。
【００４８】
液体収納容器３００は、第一実施形態と同様に、矩形状の４つの側面１〜４、上部５〜８、及び下部９〜１２から構成され、注ぎ口１３は、上部５の略中央に設けられる。上部５〜８には、のりしろ部１４〜１７、下部９〜１２には、のりしろ部１８〜２１、側面２には、のりしろ部２２、側面３の内側（裏側）には、のりしろ貼付部２３（斜線部にて示されている部分）が設けられてあり、側面１〜４、上部５〜８、下部９〜１２が夫々連なっている。上部６及び８には、屋根形成用の折り目Ｇが設けられており、下部１０及び１２には、液体収納容器３００の底面を形成するための折り目Ｈが設けられている。図３（ａ）の展開図では、谷折りにする折り目（つまり、折り目Ｇ及び折り目Ｈ）を破線にて示してある。図３（ａ）の展開図に示す防水性の厚紙等からなるシートを、のりしろ部１４〜１７を適切に重ね合わせ、折り目Ｇを谷折りにすると、上部５〜８によってゲーブルトップ型の屋根が形成される。また、のりしろ部１８〜２１を適切に重ね合わせ、折り目Ｈを液体収納容器３００の内部側に折り畳むと、液体収納容器３００の底面が形成される。液体収納容器３００の上部５〜８、側面１〜４、及び下部９〜１２を適切に折り、側面２に連なっているのりしろ部２２と側面３の内側にあるのりしろ貼付部２３とを適切に重ね合わせ、さらに、後述する手順に従って組み立てると、図３（ｂ）に示すような液体収納容器３００を組み立てることができる。
【００４９】
＜側面に設けられる折り目＞
図３（ａ）に示すように、第三実施形態に係る液体収納容器３００は、第一実施形態にて設けた折り目の下方に第一実施形態と同様の折り目を、向きを変更して追加して設けた液体収納容器である。ここで、液体収納容器３００の高さ方向において上方に配置した折り目を折り目群Ｗ１とし、下方に配置した折り目を折り目群Ｗ３とする。折り目群Ｗ１は、折り目Ｌ１〜Ｌ３、直角二等辺三角形の折り目Ｖ１〜Ｖ４を形成する折り目Ｓ１〜Ｓ１６、及び折り目Ｔ１〜Ｔ４から構成される折り目であり、これらについては、第一実施形態にて説明したので省略する。
折り目群Ｗ３は、折り目群Ｗ１の折り目Ｌ３から所定の間隔を開けた位置に配置され、折り目群Ｗ１の折り目と実質的に同一の折り目を９０°回転させて設けたものである。即ち、図３（ａ）に示すように、側面２及び側面４に、折り目群Ｗ３に属する直角二等辺三角形の折り目が形成するように配置される。従って、折り目群Ｗ３の各折り目は、折り目Ｌ７〜Ｌ９が折り目Ｌ１〜Ｌ３に相当し、直角二等辺三角形の折り目Ｖ９〜Ｖ１２が直角二等辺三角形の折り目Ｖ１〜Ｖ４に相当し、折り目Ｓ３３〜Ｓ４８が折り目Ｓ１〜Ｓ１６に相当し、折り目Ｔ９〜Ｔ１２が折り目Ｔ１〜Ｔ４に相当する。
【００５０】
＜液体収納容器におけるくびれ部の形成＞
図３（ａ）に示す液体収納容器３００の展開図において、実線及び破線で示している折り目群Ｗ１については、第一実施形態にて説明したので省略する。折り目群Ｗ３は、折り目群Ｗ１と同様の折り目を構成し、折り目群Ｗ３において実線で示している折り目（すなわち、折り目Ｌ７、Ｌ９、Ｓ３３、Ｓ３４、Ｓ３７、Ｓ３８、Ｓ４１、Ｓ４２、Ｓ４５、Ｓ４６、Ｔ９、Ｔ１０、Ｔ１１、及びＴ１２）は、山折りとする折り目である。破線で示している折り目（すなわち、折り目Ｌ８（Ｔ９、Ｔ１０、Ｔ１１、及びＴ１２と重複する直線部分は除く）、Ｓ３５、Ｓ３６、Ｓ３９、Ｓ４０、Ｓ４３、Ｓ４４、Ｓ４７、及びＳ４８）は、谷折りとする折り目である。液体収納容器３００を図３（ａ）の展開図に示す平面的形状から立体的形状へと組み立てるにあたり、上記の折り目を山折りあるいは谷折りにすると、図３（ｂ）に示すように、側面１〜４の折り目を設けた部分が凹み、折り目群Ｗ１によるくびれ部５０、及び折り目群Ｗ３によるくびれ部７０が形成され、２つのくびれ部５０及び７０を有する独特の形状をした液体収納容器３００が完成する。折り目群Ｗ１によるくびれ部５０の形成については、第一実施形態にて説明したので省略する。折り目群Ｗ３によるくびれ部７０の形成は、折り目群Ｗ１によるくびれ部５０の形成の仕方と同一であるが、直角二等辺三角の折り目Ｖ９〜Ｖ１２が側面２及び側面４に設けられているため、側面２の両縁部にある２つの直角二等辺三角形の折り目Ｖ９及びＶ１０は、夫々の斜辺が二等分される形態で折り畳まれながら３本の平行な折り目である折り目Ｌ７〜Ｌ９の間にピッタリと収まる。側面４においても、側面２と同様に、側面４の両縁部にある２つの直角二等辺三角形の折り目Ｖ１１及びＶ１２は、夫々の斜辺が二等分される形態で折り畳まれながら３本の平行な折り目である折り目Ｌ７〜Ｌ９の間にピッタリと収まる。側面１及び３においては、図３（ａ）に示すように、折り目群Ｗ３に属する直角二等辺三角形の折り目はないため、図３（ｂ）に示すように、折り目Ｌ８が谷折りされ、液体収納容器３００の内方に向かうように折り畳まれてくびれ部７０が形成される（側面３は図示せず）。側面１及び３に形成されるくびれ部７０は、直角二等辺三角形の折り目が邪魔にならないため、液体収納容器３００の持ち手用くびれ部７１として利用することができる。
【００５１】
また、図３（ｃ）に示すように、液体収納容器３００の折り目Ｌ１及びＬ３、並びに、折り目Ｌ７及びＬ９が互いに完全に重なり合うように折り畳むと、図３（ｂ）に示すようなくびれ部５０及び７０を形成する状態を経て、くびれ部５０及び７０を介して側面１〜４の上下部分及び中間部分が同一平面となるように構成される。そのため、液体収納容器３００の高さ方向において、側面１に設けられた直角二等辺三角形の折り目Ｖ１の斜辺に相当する折り目Ｓ１及びＳ２、並びに側面２に設けられた直角二等辺三角形の折り目Ｖ９の斜辺に相当する折り目Ｓ３３及びＳ３４長さの分だけ高さが減縮される。これによって、液体収納容器３００の高さ方向における収納スペースの確保が容易となり、液体収納容器３００内の液体が減少していることの目印とすることもできる。また、液体収納容器３００内の液体の減少に伴って上方の折り目群から段階的にくびれ部を形成させ、折り畳むことができる。
【００５２】
なお、第三実施形態では、くびれ部を液体収納容器３００の高さ方向において２箇所設けたものを示しているが、くびれ部は３箇所以上設けても構わない。このように構成すると、使用者が複数人いる場合、各人に応じて持ち易い位置のくびれ部を選択することができ、くびれ部ごとに凹み具合を調整することができる。特に、第三実施形態では、注ぎ口１３が設けられている側面１と側面１に対向する側面３とに加えて、注ぎ口１３が設けられていない側面２と側面２に対向する側面４とにも直角二等辺三角の折り目を設けているため、持ち手用くびれ部が全ての側面に形成されることになる。このため、注ぎ口が設けられている側の側面１及び当該側面１に対向する側面３を持つ方が注ぎ易いという使用者のニーズにも応えることができ、より多くの人にとって使い易い液体収納容器となる。また、複数のくびれ部の折り目を完全に折り畳むと、液体収納容器３００の高さをより一層減縮することができるため、液体収納容器３００の高さ方向の収納スペースの確保が容易となる。さらに、液体収納容器３００に充填されている液体と液体収納容器３００との接触面積が一層増加するため、中身の液体の保温や冷却効果のさらなる向上も期待できる。
【００５３】
〔第四実施形態〕
図４は、第四実施形態に係る液体収納容器４００の説明図である。図４（ａ）は、液体収納容器４００の展開図である。図４（ｂ）は、液体収納容器４００の斜視図である。図４（ｃ）は、折り目に従って折り畳んだ状態の液体収納容器４００の斜視図である。
【００５４】
液体収納容器４００は、第一実施形態と同様に、矩形状の４つの側面１〜４、上部５〜８、及び下部９〜１２から構成され、注ぎ口１３は、上部５の略中央に設けられる。上部５〜８には、のりしろ部１４〜１７、下部９〜１２には、のりしろ部１８〜２１、側面２には、のりしろ部２２、側面３の内側（裏側）には、のりしろ貼付部２３（斜線部にて示されている部分）が設けられてあり、側面１〜４、上部５〜８、下部９〜１２が夫々連なっている。上部６及び８には、屋根形成用の折り目Ｇが設けられており、下部１０及び１２には、液体収納容器４００の底面を形成するための折り目Ｈが設けられている。図４（ａ）の展開図では、谷折りにする折り目（つまり、折り目Ｇ及び折り目Ｈ）を破線にて示してある。図４（ａ）の展開図に示す防水性の厚紙等からなるシートを、のりしろ部１４〜１７を適切に重ね合わせ、折り目Ｇを谷折りにすると、上部５〜８によってゲーブルトップ型の屋根が形成される。また、のりしろ部１８〜２１を適切に重ね合わせ、折り目Ｈを液体収納容器４００の内部側に折り畳むと、液体収納容器４００の底面が形成される。液体収納容器４００の上部５〜８、側面１〜４、及び下部９〜１２を適切に折り、側面２に連なっているのりしろ部２２と側面３の内側にあるのりしろ貼付部２３とを適切に重ね合わせ、さらに、後述する手順に従って組み立てると、図４（ｂ）に示すような液体収納容器４００を組み立てることができる。
【００５５】
＜側面に設けられる折り目＞
図４（ａ）に示すように、第四実施形態に係る液体収納容器４００は、第一実施形態にて設けた折り目の下方に隣接するように、第一実施形態と同一の折り目を、同一の向きで追加して設けた液体収納容器である。ここで、液体収納容器４００の高さ方向において上方に配置した折り目を折り目群Ｗ１とし、下方に隣接するように配置した折り目を折り目群Ｗ４とする。折り目群Ｗ１は、折り目Ｌ１〜Ｌ３、直角二等辺三角形の折り目Ｖ１〜Ｖ４を形成する折り目Ｓ１〜Ｓ１６、及び折り目Ｔ１〜Ｔ４から構成される折り目であり、これらについては、第一実施形態にて説明したので省略する。
折り目群Ｗ４は、折り目Ｌ１０〜Ｌ１２、直角二等辺三角形の折り目Ｖ１３〜Ｖ１６を形成する折り目Ｓ４９〜Ｓ６４、及び折り目Ｔ１３〜Ｔ１６から構成される。折り目群Ｗ４は、折り目群Ｗ１の折り目と実質的に同一の折り目を、液体収納容器４００の高さ方向において下方に隣接するようにスライドさせたものである。従って、折り目群Ｗ４の各折り目は、折り目Ｌ１０〜Ｌ１２が折り目Ｌ１〜Ｌ３に相当し、直角二等辺三角形の折り目Ｖ１３〜Ｖ１６が直角二等辺三角形の折り目Ｖ１〜Ｖ４に相当し、折り目Ｓ４９〜Ｓ６４が折り目Ｓ１〜Ｓ１６に相当し、折り目Ｔ１３〜Ｔ１６が折り目Ｔ１〜Ｔ４に相当する。そして、折り目群Ｗ４の折り目Ｌ１０と折り目群Ｗ１の折り目Ｌ３とは重複している。
【００５６】
＜液体収納容器におけるくびれ部の形成＞
図４（ａ）に示す液体収納容器４００の展開図において、実線及び破線で示している折り目群Ｗ１については、第一実施形態にて説明したので省略する。折り目群Ｗ４は、折り目群Ｗ１と同一の折り目を構成するので、折り目群Ｗ４において実線で示している折り目（すなわち、折り目Ｌ１０、Ｌ１２、Ｓ４９、Ｓ５０、Ｓ５３、Ｓ５４、Ｓ５７、Ｓ５８、Ｓ６１、Ｓ６２、Ｔ１３、Ｔ１４、Ｔ１５、及びＴ１６）は、山折りとする折り目である。破線で示している折り目（すなわち、折り目Ｌ１１（Ｔ１３、Ｔ１４、Ｔ１５、及びＴ１６と重複する直線部分は除く）、Ｓ５１、Ｓ５２、Ｓ５５、Ｓ５６、Ｓ５９、Ｓ６０、Ｓ６３、及びＳ６４）は、谷折りとする折り目である。液体収納容器４００を図４（ａ）の展開図に示す平面的形状から立体的形状へと組み立てるにあたり、上記の折り目を山折り又は谷折りにすると、図４（ｂ）に示すように、側面１〜４の折り目を設けた部分が凹み、折り目群Ｗ１によるくびれ部５０、及び折り目群Ｗ４によるくびれ部８０が形成され、２つのくびれ部５０及び８０を有する独特の形状をした液体収納容器４００が完成する。折り目群Ｗ１によるくびれ部５０の形成については、第一実施形態にて説明したので省略する。折り目群Ｗ４によるくびれ部８０は、折り目群Ｗ１の折り目に相当する折り目群Ｗ４の各折り目を、折り目群Ｗ１と同様に山折り又は谷折りにすることで形成される。このように折ることによって、図４（ｂ）に示すように、側面２及び側面４（側面４は図示せず）に形成されるくびれ部５０及び８０は、直角二等辺三角形の折り目が邪魔にならないため、液体収納容器４００の持ち手用くびれ部５１及び８１として利用することができる。図４（ｂ）に示すように、液体収納容器４００のくびれ部５０及び８０は互いに隣接するように形成されるため、液体収納容器４００を片手で持つ場合であっても、手の指を全てくびれ部に合わせることができる。これにより、くびれ部を持ち易くなり、より安定して液体を注ぐことができる。
【００５７】
また、図４（ｃ）に示すように、液体収納容器４００の折り目Ｌ１及びＬ３、並びに、折り目Ｌ１０及びＬ１２が互いに完全に重なり合うように折り畳むと、図４（ｂ）に示すようなくびれ部５０及び８０を形成する状態を経て、くびれ部５０及び８０を介して側面１〜４の上下部分が同一平面となるように構成される。そのため、液体収納容器４００の高さ方向において、側面１に設けられた直角二等辺三角形の折り目Ｖ１の斜辺に相当する折り目Ｓ１及びＳ２、並びに、直角二等辺三角形の折り目Ｖ１３の斜辺に相当する折り目Ｓ４９及びＳ５０の長さの分だけ高さが減縮される。これによって、液体収納容器４００の高さ方向における収納スペースの確保が容易となり、液体収納容器４００内の液体が減少していることの目印とすることもできる。また、液体収納容器４００内の液体の減少に伴って上方の折り目群から段階的にくびれ部を形成させ、折り畳むことができる。
【００５８】
なお、第四実施形態では、くびれ部を液体収納容器４００の高さ方向において連続するように２箇所設けたものを示しているが、連続するように３箇所以上設けても構わない。あるいは、２箇所以上の連続するくびれ部と単数又は複数の不連続のくびれ部とを組み合わせたものであっても構わない。この場合、中身の液体の重量に応じて持ち易いくびれ部の位置を選択し、手の指を全てくびれ部に合わせることができ、片手であっても一層持ち易くなる。また、使用者が複数人いる場合であっても、くびれ部ごとに凹み具合を調整しつつ、各人に応じて持ち易い位置のくびれ部を選択し、手の指を合わせることができる。また、複数のくびれ部の折り目を完全に折り畳むと、液体収納容器４００の高さをより一層減縮することができるため、液体収納容器４００の高さ方向の収納スペースの確保が容易となる。さらに、液体収納容器４００に充填されている液体と液体収納容器４００との接触面積が一層増加するため、中身の液体の保温や冷却効果の向上が期待できる。
【００５９】
［複数の折曲線］
上記第一実施形態〜第四実施形態に係る液体収納容器１００〜４００に設けられた折り目は全て１本の線から構成されている。しかし、本発明に係る液体収納容器に設けられる折り目は１本の線に限られず、折り目を２本以上の複数本として構成することもできる。このような複数の折り目から構成されている折り目を、「複数の折曲線」と称することとする。この複数の折曲線について、第一実施形態に係る液体収納容器１００をベースとしたものについて説明する。
図５は、第一実施形態の変形例に係る液体収納容器１００の折り目に関する説明図である。図５（ａ）は、液体収納容器１００に設けられた折り目が１本の線の場合の説明図である。図５（ｂ）は、液体収納容器１００に設けられた折り目が２本の線の場合の説明図である。図５（ａ）、及び図５（ｂ）に示されている夫々の図は、折り目に対し液体収納容器１００を上面視した場合（上段の図）、側面視した場合（中段の図）、及び折り目を折り曲げたときに折り目によって形成される頂点の角（下段の図）を示している。また、図５（ａ）、及び図５（ｂ）において上段の図の点線は液体収納容器１００の側面を示し、実線が折り目を示しているものとする。液体収納容器１００を図１（ａ）に示す折り目に従って側面１〜４を折り畳むと、図１（ｂ）に示すように、当該折り目の部分を頂点とする角が形成され、液体収納容器１００の内方へ向かって突出する。さらに折り畳むと、図１（ｃ）のように、液体収納容器１００の側面１〜４は、くびれ部５０を介して上下が同一平面を構成する。ここで、液体収納容器１００が図１（ｂ）のような状態であるときの折り目について考察する。まず、図５（ａ）に示すように、折り目が１本の線で構成されている場合、図５（ａ）において、折り目を液体収納容器１００の外側から見てα°の大きな角度で折ると、点線円で囲んだ部分の折り目において、液体収納容器１００の内側に鋭角であるβ°の角が形成され、折り目を頂点として突出した形状となる。この頂点（すなわち、折り目自体）によって側面が破れる虞がある。また、液体収納容器１００を構成する素材が折り目の方に向かって寄るため、折り目付近での素材の厚みが増し、折り畳み難くなる虞も生じる。
そこで、本発明者は、折り目を２本の線から構成した場合、図５（ｂ）に示すように、折り目を折り曲げると面を形成しながら折り畳まれるため、図５（ａ）では鋭角β°であった頂点部分は、角度が周囲に分散されることに着目した。すなわち、図５（ａ）においては、突出した角を形成したが、図５（ｂ）の点線円で囲んだ部分において液体収納容器１００の内側にβ°よりも大きな角であるγ°の角が形成され（図５（ｂ）では２箇所示してある）、図５（ａ）のような鋭角の突出した角は形成されない。これにより、液体収納容器１００の側面を破れ難くすることができる。また、このように折り目を構成すると、角度が分散するため、液体収納容器１００を構成する素材が寄る方向も分散させることができ、折り目付近にのみ集中して厚みが増すことがなくなり、素材の厚さを略均一な状態に維持することが可能となった。その結果、無理な力を掛けずに側面を折り畳むことができ、また、所望のくびれ部を形成することができるため意匠性を損なう虞もなかった。
【００６０】
図６は、第一実施形態の変形例に係る液体収納容器１００の展開図において、実線円で囲んだ部分の一部拡大図である。複数の折曲線は、互いに近接する線から構成される折り目（折曲線）であるため、略１本の線の折り目として視認される。図６の一部拡大図に示すように、液体収納容器１００の夫々の折り目は２本の線で構成することができ、液体収納容器１００の４つの側面１〜４を横断する３本の平行な折り目を、折り目Ｌ１、Ｌ１´、Ｌ２、Ｌ２´、Ｌ３、Ｌ３´とし、折り目Ｌ１とＬ１´、折り目Ｌ２とＬ２´、折り目Ｌ３とＬ３´とが夫々１組となるように構成される。これと同様に、直角二等辺三角形の折り目Ｖ１、及びＶ２においても、折り目Ｓ１、Ｓ１´、Ｓ２、Ｓ２´、Ｓ３、Ｓ３´、Ｓ４、Ｓ４´、Ｓ５、Ｓ５´、Ｓ６、Ｓ６´、Ｓ７、Ｓ７´、Ｓ８、Ｓ８´、Ｔ１、Ｔ１´、Ｔ２、Ｔ２´とし、折り目Ｓ１とＳ１´、折り目Ｓ２とＳ２´、折り目Ｓ３とＳ３´、折り目Ｓ４とＳ４´、折り目Ｓ５とＳ５´、折り目Ｓ６とＳ６´、折り目Ｓ７とＳ７´、折り目Ｓ８とＳ８´、折り目Ｔ１とＴ１´、折り目Ｔ２とＴ２´とが夫々１組となるように構成される。図６の拡大図は、第一実施形態の変形例に係る液体収納容器１００の展開図の一部分を示してあるが、液体収納容器１００に設けられている全ての折り目について上記と同様に構成されているものとする。つまり、折り目Ｓ９〜Ｓ１６、Ｔ３及びＴ４についても、夫々の折り目にはペアとなる折り目が設けられてあり、夫々の組の折り目が複数の折曲線として構成される。このような構成であれば、側面１〜４を折り畳んだ際、図５（ｂ）に示すように、複数の折曲線は角度を分散しながら幾つかの面を形成するように折り畳まれるため、折り目による頂点が突出するような角は形成されない。その結果、液体収納容器１００の側面１〜４は破れ難くなる。また、液体収納容器１００を構成する素材が折り目（複数の折曲線）部分に集中して寄ることがなくなるため、複数の折曲線付近での素材の厚さは略均一な状態を維持したまま折り畳まれる。これにより、無理な力を掛けずに側面１〜４を折り畳むことができ、また、所望のくびれ部を形成することができるため意匠性を損なう虞もない。
【００６１】
上記では、図６に示すように、２本の線（折り目）から構成される複数の折曲線について説明をしたが、複数の折曲線は３本以上の線（折り目）から構成しても構わない。また、第一実施形態の変形例に係る液体収納容器１００に複数の折曲線を設けた場合を説明したが、第二実施形態〜第四実施形態の変形例に係る液体収納容器２００〜４００に設けられる折り目についても、第一実施形態と同様に複数の折曲線として構成することができる。さらに、上記では、液体収納容器１００に設けられた全ての折り目を複数の折曲線となるように構成したが、一部の折り目だけを複数の折曲線として構成しても構わない。例えば、第一実施形態の変形例に係る液体収納容器１００において、図１（ａ）に示される直角二等辺三角形の折り目Ｖ１〜Ｖ４は、三角形の面を形成しながら折り畳まれ、図１（ｃ）に示すようにくびれ部５０を介して側面１〜４の上下が同一平面となるように液体収納容器１００の内方に収まるように折り畳まれる。ここで、直角二等辺三角形の折り目Ｖ１〜Ｖ４を構成する各折り目は互いに重なり合うこととなり、その分だけ当該折り目付近の素材の厚みが増し、折り畳み難くなる場合がある。このため、直角二等辺三角形の折り目Ｖ１〜Ｖ４を構成する折り目のみ、複数の折曲線として構成しても構わない。また、一部の折り目についてのみ複数の折曲線とする構成は、第二実施形態〜第四実施形態の変形例に係る液体収納容器２００〜４００における折り目についても同様に構成することができる。従って、例えば、液体収納容器のサイズや内部に収納される液体の量、または液体収納容器を構成する素材の材質によって、全ての折り目を複数の折曲線として構成することもできるし、折り目を選択して当該折り目だけを複数の折曲線として構成することもできる。
【００６２】
［のりしろ部、及びのりしろ貼付部における折り目］
上記第一実施形態〜第四実施形態に係る液体収納容器１００〜４００において、のりしろ部２２とのりしろ貼付部２３とに設けられている折り目について、液体収納容器１００を例に考察する。図７は、第一実施形態の変形例に係る液体収納容器１００の説明図であり、図７（ａ）は、液体収納容器１００の展開図において、のりしろ部２２とのりしろ貼付部２３とに設けられている折り目に関する説明図である。ここで、図１〜図４では、第一実施形態〜第四実施形態に係る液体収納容器１００〜４００の各展開図における折り目は、山折りを実線、谷折りを破線で示していたが、図７（ａ）では説明の便宜上、のりしろ部２２及びのりしろ貼付部２３に設けられている折り目を実線とし、その他の折り目は破線で示す。のりしろ部２２に設けられている折り目を折り目Ｑ、のりしろ貼付部２３に設けられている折り目を折り目Ｒとする。のりしろ部２２とのりしろ貼付部２３とは重ね合わされるため、当該重ね合わされた部分は液体収納容器１００を構成する側面１〜４の中で他の部位よりも厚くなり、また、のりしろ部２２に設けられた折り目のうち折り目Ｑは、のりしろ貼付部２３に位置する折り目Ｒと重なり合い、折り目Ｑと折り目Ｒとは一体となって構成される。そのため、折り目に従って液体収納容器１００の側面１〜４を折り畳むと、当該重ね合わされた部分は側面の他の部分よりも厚みがあるため、折り畳み難くなる。このような場合、のりしろ貼付部２３（のりしろ部２２）の折り目は、所望どおりに折り畳まれ難いため、くびれ部５０の外観が劣って見える虞も生じる。特に、図７（ａ）に示されるように、のりしろ貼付部２３に設けられる折り目Ｒ（のりしろ部２２において折り目Ｑ）が、直角二等辺三角形の折り目Ｖ３を構成する折り目に相当する場合、図１（ｃ）に示されるように、最終的にはくびれ部５０を介して側面１〜４の上下が同一平面を構成するように折り畳まれるため、当該部分は厚みがある分、より一層折り畳み難くなる。上記のような問題は、折り目を谷折りとする場合、のりしろ貼付部２３に位置する折り目Ｒ付近に液体収納容器１００の素材が寄り、液体収納容器１００において当該部分の厚みが増すため、さらに折り畳み難くなる。
【００６３】
そこで、本発明者は、液体収納容器１００ののりしろ貼付部２３に位置する折り目Ｒに工夫を施すことで上記の課題を解決した。図７（ｂ）は、のりしろ部２２とのりしろ貼付部２３とが重なり合わされている場合において、折り目を折り畳む前の側面の一部の断面を拡大して示した図であり、図７（ｃ）は、のりしろ部とのりしろ貼付部とが重なり合わされている場合において、折り目を山折りとした場合の側面の一部の断面を拡大して示した図であり、図７（ｄ）は、のりしろ部とのりしろ貼付部とが重なり合わされている場合において、折り目を谷折りとした場合の側面の一部の断面を拡大して示した図である。図７（ｂ）に示されるように、折り目Ｒに切欠きＷを設ける。このような構成によって、図７（ｃ）に示されるように、液体収納容器１００を山折りとした場合、折り目Ｒには切欠きＷがあるため、当該折り目Ｒを境界として分離する。これにより、折り目Ｒ自体が分離し、折り目Ｑに従ってのりしろ部２２、及びのりしろ貼付部２３が折り畳まれるため、実際にはのりしろ部２２だけが折り畳まれることになる。このため、のりしろ部２２とのりしろ貼付部２３とが重なり合わされている場合であっても、のりしろ貼付部２３の分だけ紙の厚みが減るため折り畳み易くなる。一方、図７（ｄ）に示されるように、液体収納容器１００を谷折りとした場合、折り目Ｒにおいて、切欠きＷが設けられている部分と隣接する側面どうしが、当該部分を介して接するように構成される。これによって、のりしろ貼付部２３に位置する折り目Ｒ付近に液体収納容器１００の素材が寄ることがないため、谷折りし易くなる。これにより、のりしろ貼付部２３の折り目Ｒ付近に液体収納容器１００の素材が寄ることを防止し、折り畳み易くなる。そして、液体収納容器１００のくびれ部５０の意匠性も維持することができる。
なお、上記実施形態においては、折り目Ｒに切欠きＷを設けたが、当該部分は切込みであっても構わない。このように構成した場合でも、上記実施形態と同様に取り扱うことが可能である。また、切込みとした場合、切欠きの折り目を設けるよりも簡単に作製できるため、液体収納容器１００に折り目を設ける工程の作業効率を向上させることができる。
【００６４】
上記のような構成は、第一実施形態の変形例に係る液体収納容器１００に限らず、第二実施形態〜第四実施形態の変形例に係る液体収納容器２００〜４００に係るのりしろ部２２、及びのりしろ貼付部２３についても同様に構成することができる。
【００６５】
［外側折り目、及び内側折り目］
通常、液体収納容器は、容器自体の強度を向上させたり、収納される液体が滲み出ることを防止するため、液体収納容器を構成する素材は少なくとも２枚の素材を接着させている。本発明に係る液体収納容器を構成する素材としては、折り目を設けることができ、且つ、折り曲げられることができる材質のものが適する。このような素材として、紙や、ポリエチレンテレフタレート、ポリスチレン、ポリプロピレン等の合成樹脂が挙げられる。本実施形態においては、液体収納容器の素材は紙製であるとして取り扱うこととする。
図８は、第一実施形態の変形例に係る液体収納容器１００に関する説明図である。図８（ａ）は、液体収納容器１００の展開図において、折り目が設けられている側面の一部の斜視図を拡大して示した図である。図８（ａ）に示されるように、液体収納容器１００は、側面の外側を構成する外側側面Ｍ（つまり、外表面であって使用者の手が直接触れる側）と、側面の内側を構成する内側側面Ｎ（つまり、液体収納容器の内部であって液体が直接接する側）とから構成されている。従って、液体収納容器１００に折り目を設けることは、外側側面Ｍ及び内側側面Ｎの両方同時に折り目が設けられることを意味する。ここで、外側側面Ｍ及び内側側面Ｎに設けられる折り目を夫々「外側折り目Ｐ」、及び「内側折り目Ｕ」と称する。外側折り目Ｐと内側折り目Ｕとは一体のものとして構成され、上記の所定の折り方に従って側面１〜４を折り畳むと、外側側面Ｍ及び内側側面Ｎが同時に折り畳まれることとなる。
ここで、液体収納容器１００に液体を収納するためには、耐水性及び耐久性を備えた素材を使用する必要がある。しかし、そのような素材は、一般に厚みがあり、剛性が高いものとなるため、側面１〜４を折り畳む際に力が必要となったり、折り畳み難くなるという問題がある。上記のような問題は、外側折り目Ｐを谷折りとする場合、当該谷折りとなる外側折り目Ｐ付近に液体収納容器１００の素材が寄り、液体収納容器１００において当該部分の厚みが増すため、さらに折り畳み難くなる。
【００６６】
図８（ｂ）は、液体収納容器１００を折り畳む前の側面の一部の断面を拡大して示した図であり、図８（ｃ）は、液体収納容器１００を山折りとした場合の側面の一部の断面を拡大して示した図であり、図８（ｄ）は、液体収納容器１００を谷折りとした場合の側面の一部の断面を拡大して示した図である。上記の問題点を解決するため、図８（ｂ）に示されるように、外側折り目Ｐに切欠きＫを設ける。このような構成によって、図８（ｃ）に示されるように、液体収納容器１００を山折りとした場合、外側折り目Ｐは切欠きＫがあるため、当該外側折り目Ｐを境界として分離する。これにより、外側折り目Ｐ自体が分離し、内側折り目Ｕに従って側面１〜４が折り畳まれるため、実際には内側側面Ｎだけが折り畳まれることになる。このため、上記のような厚みを有する紙から構成される液体収納容器１００であっても、外側側面Ｍの分だけ紙の厚みが減るため折り畳み易くなる。一方、図８（ｄ）に示されるように、液体収納容器１００を谷折りとした場合、外側折り目Ｐにおいて、切欠きＫが設けられている部分と隣接する側面どうしが、当該部分を介して接するように構成される。これによって、外側側面Ｍに設けられる折り目Ｐ付近に液体収納容器１００の素材が寄ることがないため、谷折りし易くなる。これにより、外側側面Ｍの折り目Ｐ付近に液体収納容器１００の素材が寄ることを防止し、折り畳み易くなる。そして、液体収納容器１００の強度も確保することができる。
なお、上記実施形態においては、折り目Ｐに切欠きＫを設けたが、当該部分は切込みであっても構わない。このように構成した場合でも、上記実施形態と同様に取り扱うことが可能である。また、切込みとした場合、切欠きの折り目を設けるよりも簡単に作製できるため、液体収納容器１００に折り目を設ける工程の作業効率を向上させることができる。
【００６７】
上記のような構成は、第一実施形態の変形例に係る液体収納容器１００に限らず、第二実施形態〜第四実施形態の変形例に係る液体収納容器２００〜４００についても同様に構成することができる。
また、外側折り目Ｐについて、切欠きＫを設ける外側折り目Ｐと、切欠きＫを設けない外側折り目Ｐとの両方を備えるように構成しても構わない。例えば、第一実施形態の変形例に係る液体収納容器１００において、図１（ａ）に示される直角二等辺三角形の折り目Ｖ１〜Ｖ４は、三角形の面を形成しながら折り畳まれ、図１（ｂ）に示される状態を経て、図１（ｃ）に示すように側面１〜４はくびれ部５０を介して上下が同一平面を構成するように、液体収納容器１００の内方に収まるように折り畳まれる。ここで、直角二等辺三角形の折り目Ｖ１〜Ｖ４を構成する折り目は互いに重なり合うこととなり、その分だけ当該折り目付近の紙の厚みが増し、折り畳み難くなる場合がある。そこで、直角二等辺三角形の折り目Ｖ１〜Ｖ４を構成する折り目の外側折り目Ｐのみに切欠きＫを設ける構成とすることができる。このように、一部の折り目の外側折り目Ｐに切欠きＫを設ける構成は、第二実施形態〜第四実施形態の変形例に係る液体収納容器２００〜４００における折り目に対しても同様に構成することができる。従って、例えば、液体収納容器のサイズや内部に収納される液体の量、または液体収納容器を構成する紙の材質によって、全ての外側折り目Ｐに切欠きＫが設けられた構成とすることもできるし、外側折り目Ｐを選択して当該外側折り目Ｐに切欠きＫが設けられた構成とすることもできる。
なお、上記実施形態においては、折り目Ｐに切欠きＫを設けたが、当該部分は切込みであっても構わない。このように構成した場合でも、上記実施形態と同様に取り扱うことが可能である。
【００６８】
［伸展性シート］
本発明に係る液体収納容器１００は、伸展性シートによって各折り目を保護することができる。これにより、折り目によって形成される角の頂点によって液体収納容器１００の側面の外装が破れることを確実に防止することができる。また、図１（ｂ）に示すように、くびれ部５０や持ち手用くびれ部５１は使用者が持つ頻度が高い部分である。そのため、伸展性シートを折り目に設けることによって、液体収納容器１００の強度を向上させることもできる。このような伸展性シートの材料としては、ポリエチレン、ポリ塩化ビニル、ポリ塩化ビニリデン、ポリビニルアルコール、ポリプロピレン、ポリエステル、ポリカーボネート、ポリスチレン、ポリアクリルニトリル、エチレン−ビニルアルコール共重合体、ナイロン等が挙げられる。
【００６９】
［別実施形態］
第一実施形態〜第四実施形態に係る液体収納容器１００〜４００には図１〜図４の展開図に示されるように、夫々の折り目によって交点が存在する。そのため、上記にて説明したとおり、所定の折り方に従って側面１〜４を折り畳むと折り目を頂点とする角が形成される。上記では、この頂点（角）によって生じる問題点を解消すべく、折り目を複数の折曲線として構成した。ここで、例えば、図１（ｂ）に示すように、液体収納容器１００の折り目のうち、直角二等辺三角形の折り目Ｖ１〜Ｖ４に係る折り目によって形成される角は液体収納容器１００の内方に突出するため、当該箇所に係る液体収納容器１００の側面が破れる可能性が他の折り目によって形成される角より高い。そこで、直角二等辺三角形の折り目Ｖ１〜Ｖ４を構成する各折り目が交点を形成しないような折り目を液体収納容器に設け、直角二等辺三角形の折り目Ｖ１〜Ｖ４によって角の頂点が形成されないこととした別実施形態に係る液体収納容器５００を構成することもできる。
【００７０】
図９は、別実施形態に係る液体収納容器５００に関する説明図である。図９（ａ）は液体収納容器５００の展開図である。図９（ｂ）は、図９（ａ）において実線円で囲まれた部分の拡大図である。図９（ａ）に示すように、液体収納容器５００は、第一実施形態と同様に、矩形状の４つの側面１〜４、上部５〜８、及び下部９〜１２から構成され、注ぎ口１３は、上部５の略中央に設けられる。上部５〜８には、のりしろ部１４〜１７、下部９〜１２には、のりしろ部１８〜２１、側面２には、のりしろ部２２、側面３の内側（裏側）には、のりしろ貼付部２３（斜線部にて示されている部分）が設けられてあり、側面１〜４、上部５〜８、下部９〜１２が夫々連なっている。上部６及び８には、屋根形成用の折り目Ｇが設けられており、下部１０及び１２には、液体収納容器５００の底面を形成するための折り目Ｈが設けられている。図９（ａ）の展開図では、谷折りにする折り目（つまり、折り目Ｇ及び折り目Ｈ）を破線にて示してある。図９（ａ）の展開図に示す防水性の厚紙等からなるシートを、のりしろ部１４〜１７を適切に重ね合わせ、折り目Ｇを谷折りにすると、上部５〜８によってゲーブルトップ型の屋根が形成される。また、のりしろ部１８〜２１を適切に重ね合わせ、折り目Ｈを液体収納容器５００の内部側に折り畳むと、液体収納容器５００の底面が形成される。液体収納容器５００の上部５〜８、側面１〜４、及び下部９〜１２を適切に折り、側面２に連なっているのりしろ部２２と側面３の内側にあるのりしろ貼付部２３とを適切に重ね合わせ、さらに、後述する手順に従って組み立てると、図１（ｂ）に示された液体収納容器１００と同様の形状の液体収納容器５００を組み立てることができる。
【００７１】
＜側面に設けられる折り目＞
図９（ａ）に示すように、別実施形態に係る液体収納容器５００は、第一実施形態にて設けた折り目に類似した液体収納容器であり、折り目が設けられる位置は第一実施形態に係る液体収納容器１００と実質的に同一である。まず、４つの側面１〜４を横断するように３本の折り目Ｌ１、Ｌ２、及びＬ３が、互いに平行に且つ間隔が等しくなるように設けられる。次に、直角二等辺三角形状の折り目Ｖ１７〜Ｖ２０が直角二等辺三角形の折り目Ｖ１〜Ｖ４に相当し、折り目Ｓ６５〜Ｓ８０が折り目Ｓ１〜Ｓ１６に相当し、折り目Ｔ１７〜Ｔ２０が折り目Ｔ１〜Ｔ４に相当する。ここで、直角二等辺三角形状の折り目Ｖ１７において、折り目Ｓ６７、Ｓ６８、及び折り目Ｔ１７は、交点を形成しないように設けられる。これと同様に、直角二等辺三角形状の折り目Ｖ１８において、折り目Ｓ７１、Ｓ７２、及び折り目Ｔ１８、直角二等辺三角形状の折り目Ｖ１９において、折り目Ｓ７５、Ｓ７６、及び折り目Ｔ１９、直角二等辺三角形状の折り目Ｖ２０において、折り目Ｓ７９、Ｓ８０、及び折り目Ｔ２０は、各折り目によって交点を形成しないように設けられる。このことを分かり易く示した図が、図９（ｂ）である。図９（ｂ）の一部拡大図において、点線円で囲まれた部分Ｄは、第一実施形態に係る図１（ａ）では、折り目Ｓ３、Ｓ４、及び折り目Ｔ１の交点が存在している部分である。これと同様に、点線円で囲まれた部分Ｅは、第一実施形態である図１（ａ）では、折り目Ｓ７、Ｓ８、及び折り目Ｔ２の交点が存在している部分である。しかし、図９（ｂ）の一部拡大図に示されるように、別実施形態に係る液体収納容器５００においては、第一実施形態での折り目Ｓ３、Ｓ４、及び折り目Ｔ１に相当する折り目Ｓ６７、Ｓ６８、及び折り目Ｔ１７には交点が存在せず、これと同様に、折り目Ｓ７、Ｓ８、及び折り目Ｔ２に相当する折り目Ｓ７１、Ｓ７２、及び折り目Ｔ１８には交点が存在しない。このように設けられた折り目に従って側面１〜４を折り畳んだ場合、直角二等辺三角形状の折り目Ｖ１７〜Ｖ２０を構成する折り目によって頂点を有する角は形成されない。その結果、液体収納容器５００の側面１〜４を破れ難くすることができる。
【００７２】
〔使用終了後の液体収納容器の取り扱い〕
本発明に係る液体収納容器の使用終了後の取り扱いについて、第一実施形態の液体収納容器１００を例に挙げて説明する。
【００７３】
「背景技術」で説明したように、中身の液体を使い終わった後の液体収納容器１００は、通常、廃棄するかリサイクルのために回収される。その際、図１（ｂ）に示す立体的形状のものを展開すると、液体収納容器１００が嵩張らず回収し易くなる。立体的形状の液体収納容器１００を展開するには、液体収納容器１００をカッターナイフ等で切り開く作業が必要になる。ここで、液体収納容器１００には折り目が設けられているため、この折り目を切り開き用ガイドとして利用することができる。特に、くびれ部５０を形成している液体収納容器１００において、折り目Ｌ２は液体収納容器１００の内方に向かって谷折りになっているため、折り目Ｌ２に対してカッターナイフ等を当てるだけで容易に切れ込みを入れることができる。折り目Ｌ２と同様に谷折りになっている折り目Ｓ３、Ｓ４、Ｓ７、Ｓ８等も切り開き用ガイドとして利用可能であり、カッターナイフ等で容易に切れ込みを入れることができる。このように、谷折りになっている折り目にカッターナイフ等で切れ込みを入れることにより、液体収納容器１００を容易に切り開くことができる。従って、液体収納容器１００のサイズが大きい場合であっても、容易に立体的形状から展開することができ、液体収納容器１００の廃棄や回収をスムーズに行うことができる。
【００７４】
また、液体収納容器１００の折り目において、外側折り目Ｐに切欠き又は切込みが設けられている場合、外側折り目Ｐは、液体収納容器１００を切り開く際のガイドとして利用することができる。このため、液体収納容器１００をカッターナイフ等で切り開く作業を容易に行うことができる。従って、液体収納容器１００のサイズが大きい場合であっても、通常の折り目（すなわち、外側折り目Ｐに切欠き又は切込みが設けられていない折り目）より容易に立体的形状から展開することができ、液体収納容器１００の廃棄や回収をスムーズに行うことができる。
【産業上の利用可能性】
【００７５】
本発明の液体収納容器は、酒類、清涼飲料水、液体調味料等の食品を収納する容器に利用されるが、その他にも、例えば、化粧品、液体洗剤、シャンプー等の日用品や、油脂類、溶媒、塗料等の工業製品を収納する容器として利用可能である。
【符号の説明】
【００７６】
１〜４                            側面
５〜８                            上部
９〜１２                          下部
１３                              注ぎ口
１４〜２２                        のりしろ部
２３                              のりしろ貼付部
５０，６０，７０，８０            くびれ部
５１，６１，７１，８１            持ち手用くびれ部
１００，２００，３００，４００    液体収納容器
Ｌ１〜Ｌ１２                      折り目
Ｓ１〜Ｓ６４                      折り目
Ｔ１〜Ｔ１６                      折り目
Ｖ１〜Ｖ１６                      直角二等辺三角の折り目
Ｒ                                折り目（のりしろ貼付部）
Ｑ                                折り目（のりしろ部）
Ｍ                                外側側面
Ｎ                                内側側面
Ｐ                                外側折り目
Ｕ                                内側折り目
Ｗ，Ｋ                            切欠き
ａ                                直角二等辺三角形の高さ
ｂ                                側面の幅
ｘ                                側面の高さ
ｙ                                側面の上端部から折り目までの長さ
【図１】
2015110440.tif 000003
【図２】
2015110440.tif 000004
【図３】
2015110440.tif 000005
【図４】
2015110440.tif 000006
【図５】
2015110440.tif 000007
【図６】
2015110440.tif 000008
【図７】
2015110440.tif 000009
【図８】
2015110440.tif 000010
【図９】
2015110440.tif 000011